【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
遊技機を包装するためのシステムであって、
前記遊技機の制御を行う部分の少なくとも一部を覆うように、熱可塑性材料からなる内包装用シートを前記遊技機の外周へ被着するシート被着手段と、前記遊技機の外周へ被着された前記内包装用シートの少なくとも一部に熱処理を施す熱処理手段とを有する内包装装置と、
その内包装装置によって包装された内包装用シートに、前記遊技機に関する情報を印刷する印刷装置と、
前記遊技機に付されると共にその遊技機を識別可能な識別情報を取得する識別情報取得手段と
を備え、
前記印刷装置は、前記識別情報取得手段にて取得された識別情報に基づいて前記遊技機に関する情報を印刷することを特徴とする遊技機の包装システム。
【請求項２】
前記識別情報は、前記遊技機に貼付けされた証紙に印字された管理番号であり、
前記識別情報取得手段は、前記証紙に印字された管理番号を画像データとして取り込む画像データ取得手段を有し、取り込まれた画像データに基づいて前記管理番号を取得することを特徴とする請求項１に記載の遊技機の包装システム。
【請求項３】
前記画像データ取得手段は、前記管理番号を撮像するＣＣＤ撮像装置を備えたことを特徴とする請求項２に記載の遊技機の包装システム。
【請求項４】
前記識別情報と前記遊技機に関する情報とを対応させて記憶した情報記憶手段を備え、
前記印刷装置は、前記識別情報に基づいて前記情報記憶手段より取得した遊技機に関する情報を印刷することを特徴とする請求項１乃至３のいずれかに記載の遊技機の包装システム。
【手続補正２】
【補正対象書類名】明細書
【補正対象項目名】０００６
【補正方法】変更
【補正の内容】
【０００６】
以下、上記課題を解決するのに適した各手段につき、必要に応じて作用効果等を付記しつつ説明する。
１．遊技機を包装するためのシステムであって、
前記遊技機の制御を行う部分の少なくとも一部を覆うように、熱可塑性材料からなる内包装用シートを前記遊技機の外周へ被着するシート被着手段と、前記遊技機の外周へ被着された前記内包装用シートの少なくとも一部に熱処理を施す熱処理手段とを有する内包装装置と、
その内包装装置によって包装された内包装用シートに、前記遊技機に関する情報を印刷する印刷装置と、
前記遊技機に付されると共にその遊技機を識別可能な識別情報を取得する識別情報取得手段と
を備え、
前記印刷装置は、前記識別情報取得手段にて取得された識別情報に基づいて前記遊技機に関する情報を印刷することを特徴とする遊技機の包装システム。
【手続補正３】
【補正対象書類名】明細書
【補正対象項目名】０００７
【補正方法】変更
【補正の内容】
【０００７】
手段１によれば、内包装装置において、まず、シート被着手段が、遊技機の制御を行う部分の少なくとも一部を覆うように、熱可塑性材料からなる内包装用シートを遊技機の外周に被着する。次に、熱処理手段が、遊技機の外周に被着された内包装用シートの少なくとも一部に熱処理を施すと、内包装用シートが熱可塑性材料からなるため、当該被熱処理部分が収縮して遊技機の外周形状に沿って略密着する。熱処理手段による熱処理の終了後、熱可塑性材料からなる内包装用シートの被熱処理部分が常温で冷却されて硬化するので、包装用シートが遊技機の外周へ略密着する状態が保たれる。続いて、印刷装置が、内包装装置によって包装された内包装用シートに、遊技機に関する情報を印刷する。このとき、内包装用シートが遊技機の外周に略密着しているので表面に鮮明な印刷を行うことができる。また、識別情報取得手段が、遊技機に付されると共にその遊技機を識別可能な識別情報を取得し、印刷装置は、識別情報取得手段にて取得された識別情報に基づいて遊技機に関する情報を自動的に印刷することができる。つまり、手段１により、遊技機の制御を行う部分の少なくとも一部を覆うように、熱可塑性材料からなる包装用シートを遊技機の外周に被着させる工程と、遊技機の外周に被着された内包装用シートの少なくとも一部に熱処理を施して収縮させ、内包装用シートを遊技機の外周形状に沿って略密着させる工程と、内包装用シートに遊技機に関する情報を印刷する工程とを自動的且つ連続的に実施することができる。
【手続補正４】
【補正対象書類名】明細書
【補正対象項目名】０００９
【補正方法】変更
【補正の内容】
【０００９】
２．前記識別情報は、前記遊技機に貼付けされた証紙に印字された管理番号であり、
前記識別情報取得手段は、前記証紙に印字された管理番号を画像データとして取り込む画像データ取得手段を有し、取り込まれた画像データに基づいて前記管理番号を取得することを特徴とする手段１に記載の遊技機の包装システム。
手段２によれば、識別情報取得手段は、画像データ取得手段により証紙に印字された管理番号を画像データとして取り込み、その取り込まれた画像データに基づいて管理番号を自動的に取得することができる。
【手続補正５】
【補正対象書類名】明細書
【補正対象項目名】００１０
【補正方法】変更
【補正の内容】
【００１０】
３．前記画像データ取得手段は、前記管理番号を撮像するＣＣＤ撮像装置を備えたことを特徴とする手段２に記載の遊技機の包装システム。
手段３によれば、ＣＣＤ撮像装置により証紙に印字された管理番号を画像データとして取り込むことができる。
【手続補正６】
【補正対象書類名】明細書
【補正対象項目名】００１１
【補正方法】変更
【補正の内容】
【００１１】
４．前記識別情報と前記遊技機に関する情報とを対応させて記憶した情報記憶手段を備え、
前記印刷装置は、前記識別情報に基づいて前記情報記憶手段より取得した遊技機に関する情報を印刷することを特徴とする手段１乃至３のいずれかに記載の遊技機の包装システム。
手段４によれば、印刷装置が、識別情報に基づいて情報記憶手段より取得した遊技機に関する情報を印刷する。すなわち、遊技機に付された識別情報に対応した遊技機に関する情報が自動的に内包装用シートに印刷されるので、識別情報と遊技機に関する情報とを視認照合する煩雑で非効率な作業を省くことが可能となる。
【手続補正７】
【補正対象書類名】明細書
【補正対象項目名】００１２
【補正方法】変更
【補正の内容】
【００１２】
５．前記内包装用シートが外周に包装された前記遊技機の全体を外包装用シートにより密封状に包装する外包装装置を
更に備え、
前記印刷装置は、前記内包装装置によって包装された内包装用シートに前記遊技機に関する情報を印刷する第１印刷装置と、前記外包装装置によって包装された外包装用シートに前記遊技機に関する情報を印刷する第２印刷装置とからなることを特徴とする手段１乃至４のいずれかに記載の遊技機の包装システム。
【手続補正８】
【補正対象書類名】明細書
【補正対象項目名】００１３
【補正方法】変更
【補正の内容】
【００１３】
手段５によれば、内包装装置により遊技機の外周に内包装用シートが包装されると、第１印刷装置が、内包装用シートに遊技機に関する情報を印刷し、更に、外包装装置により、内包装用シートが外周に包装された遊技機の全体が外包装用シートにより密封状に包装されると、第２印刷装置は、外包装装置によって包装された外包装用シートに、遊技機に関する情報を印刷する。つまり、手段２により、遊技機に対して内包装用シートによる包装を施す工程と、内包装用シートに遊技機に関する情報を印刷する工程と、外包装用シートによる包装を施す工程と、外包装用シートに遊技機に関する情報を印刷する工程とを自動的且つ連続的に実施することができる。
【手続補正９】
【補正対象書類名】明細書
【補正対象項目名】００１４
【補正方法】変更
【補正の内容】
【００１４】
そして、手段５によって包装された遊技機は、内包装用シートと外包装用シートとにより二重包装が施されているため、不正改造の発見をより確実にすると共に、不正改造の未然防止を図ることができる。すなわち、メイン基板等の遊技機の制御を行う部分に不正改造を行うためには、まず外包装用シートを切断・開封し、さらに、内包装用シートを切断・開封する必要がある。このため、不正な改造が行われた場合には外包装用シート及び内包装用シートが開封されていることから、不正改造を確実に感知することができる。また、内包装用シートを一旦、切断・開封してから、遊技機の制御を行う部分の少なくとも一部を覆うように遊技機の外周に略密着させて再度包装して元通りの状態に戻すことは極めて困難であり、さらに、遊技機全体が外包装用シートによって密封されることによって埃等の付着が防止されるだけでなく、内包装用シートによる包装状態も確実に保持されるため、不正改造を行った者によって再度包装が行われた場合には確実にこれを感知することができる。さらに、遊技機に対して内包装用シート及び外包装用シートによって従来よりも厳重な二重包装が施されていることから、不正改造を試みようとする者の意欲を減退させて、不正改造を未然に防止する効果が発揮されることも期待される。
また、内包装用シート及び外包装用シートの両方に遊技機に関する情報が印刷されているので、包装用シートの偽造困難性がより一層高められ、不正改造の発見がより確実になると共に、不正改造の未然防止効果の向上を図ることができる。また、外包装用シートにも遊技機に関する情報が印刷されているので、出荷、納品、ホールへの設置作業等の際に外部から容易に遊技機に関する情報を視認することができる。
【手続補正１０】
【補正対象書類名】明細書
【補正対象項目名】００１５
【補正方法】変更
【補正の内容】
【００１５】
さらに、従来は、内包装用シートによる包装が施されていなかったため、外包装用シートによる包装のみに諸情報が印刷されていたが、遊技機の主要部たる制御を行う部分にインクが付着して不良発生の原因となることを回避するために外包装用シートの当該部分を避けて印刷する必要があり、印刷スペースが制約されることにより印刷可能な情報量が限られる問題や印刷する文字の大きさを小さめに設定しなければならない等の問題もあった。手段５によれば、内包装用シート及び外包装用シートの両方に情報を印刷可能であるため、印刷スペースが十分に広く確保され、多くの情報を印刷することができる。また、手段３によれば、外包装用シートの内側に少なくとも制御を行う部分を覆うように内包装用シートが包装されているので、上述したような制約は全くなくなり、外包装用シート上の任意の位置へ任意の大きさの文字で情報を印刷することができ、作業効率の大幅な向上を図ることができる。例えば、遊技機に貼付けられる証紙には管理番号が極めて小さな文字で印刷されており、内包装用シート又は外包装用シートに管理番号を比較的大きなサイズで印刷することにより、作業効率の大幅な向上が期待できる。
【手続補正１１】
【補正対象書類名】明細書
【補正対象項目名】００１６
【補正方法】変更
【補正の内容】
【００１６】
６．前記第１印刷装置は、前記内包装装置によって包装された内包装用シートに前記遊技機に関する第１の情報を印刷し、
前記第２印刷装置は、前記外包装装置によって包装された外包装用シートに前記第１の情報とは少なくとも一部が異なる第２の情報を印刷することを特徴とする手段５に記載の遊技機の包装システム。
手段６によれば、内包装装置によって包装された内包装用シートには、遊技機に関する第１の情報が印刷され、外包装装置によって包装された外包装用シートには、第１の情報とは少なくとも一部が異なる第２の情報が印刷されるので、それぞれの包装用シートの用途に応じて異なる情報の印刷を行うことができる。
【手続補正１２】
【補正対象書類名】明細書
【補正対象項目名】００１７
【補正方法】変更
【補正の内容】
【００１７】
７．前記第１の情報には、少なくとも前記遊技機を識別可能な識別情報が含まれ、
前記第２の情報には、少なくとも前記遊技機の納品先に関する情報が含まれていることを特徴とする手段６に記載の遊技機の包装システム。
手段７によれば、内包装用シートには少なくとも遊技機を識別可能な識別情報が含まれた第１の情報が印刷されているので、内包装用シートが包装された状態で遊技機を識別できると共に、内包装用シートが当該遊技機に固有のものとなり、包装用シートの偽造防止を図ることができる。また、外包装用シートには少なくとも遊技機の納品先に関する情報が含まれた第２の情報が印刷されているので、外包装用シートを視認することにより納品先に関する情報（例えば、納品先名や納品先住所等）を知ることができる。
【手続補正１３】
【補正対象書類名】明細書
【補正対象項目名】００１８
【補正方法】変更
【補正の内容】
【００１８】
８．前記第１の情報と前記第２の情報とは、少なくとも一部が共通していることを特徴とする手段６又は７に記載の遊技機の包装システム。
手段８によれば、内包装用シートに印刷される第１の情報と外包装用シートに印刷される第２の情報とは、少なくとも一部が共通しているので、内包装用シートと外包装用シートとが正しい組合わせで包装されていることを確認することができる。従って、例えば、何らかの理由により包装ラインが一旦停止し、その後、稼働が再開された場合にも内包装用シートと外包装用シートとの組合わせが正しいか否かを確認することができる。尚、第１の情報と第２の情報との共通の情報としては、台数管理情報（例えば、遊技機の納品総数と当該遊技機の通し番号）等を用いることができる。
【手続補正１４】
【補正対象書類名】明細書
【補正対象項目名】００１９
【補正方法】変更
【補正の内容】
【００１９】
９．前記外包装用シートは、透明又は半透明のシートであることを特徴とする手段５乃至８のいずれかに記載の遊技機の包装システム。
手段９によれば、内包装用シートの遊技機外周への包装状態を、透明又は半透明の外包装用シートを通して容易に視認することができるので、不正改造を容易に感知することができると共に、不正改造の困難性を認識させて不正改造の未然防止を図ることができる。また、遊技機の出荷作業等を行う際に、内包装用シートに印刷された遊技機に関する情報を外包装用シートを通して視認することができる。
【手続補正１５】
【補正対象書類名】明細書
【補正対象項目名】００２０
【補正方法】変更
【補正の内容】
【００２０】
１０．前記第１印刷装置により前記内包装用シートに印刷される箇所と前記第２印刷装置により前記外包装用シートに印刷される箇所とが隣接していることを特徴とする手段９に記載の遊技機の包装システム。
手段１０によれば、第１印刷装置により内包装用シートに印刷される箇所と第２印刷装置により外包装用シートに印刷される箇所とが隣接しているので、遊技機の出荷作業等を行う際に、外包装用シートに印刷された情報と、透明な外包装用シートを通して見える内包装用シートに印刷された情報とを一度に視認することができ、作業効率の向上が図られる。
【手続補正１６】
【補正対象書類名】明細書
【補正対象項目名】００２１
【補正方法】変更
【補正の内容】
【００２１】
１１．前記内包装用シートは着色されたシートであり、且つ前記外包装用シートは略無色又は前記内包装用シートとは異なる色に着色された透明又は半透明のシートであることを特徴とする手段９又は１０に記載の遊技機の包装システム。
手段１１によれば、着色された内包装用シートの遊技機外周への包装状態を、略無色又は内包装用シートとは異なる色に着色された透明又は半透明の外包装用シートを通して容易に視認することができるので、不正改造を容易に感知することができると共に、不正改造の困難性を認識させて不正改造の未然防止を図ることができる。さらに、所定の色に着色された包装用シートの入手困難性により、不正改造後に再包装を行うことの困難性がより一層高められる。
【手続補正１７】
【補正対象書類名】明細書
【補正対象項目名】００２２
【補正方法】変更
【補正の内容】
【００２２】
１２．前記内包装用シートは、透明又は半透明のシートであることを特徴とする手段９乃至１１のいずれかに記載の遊技機の包装システム。
手段１２によれば、内包装用シート及び外包装用シートが共に透明又は半透明であるので、二重に包装が施された遊技機の状態を容易に視認することができ、不正改造を容易に感知することができる。
【手続補正１８】
【補正対象書類名】明細書
【補正対象項目名】００２３
【補正方法】変更
【補正の内容】
【００２３】
１３．前記外包装装置は、
前記遊技機の下方に二つ折りの外包装用シートを展開状に通過させつつ両側縁を上方として繰り出すシート展開供給手段と、
そのシート展開供給手段によって繰り出された前記外包装用シートの前記遊技機前方側及び後方側にて縦方向に熱溶着及び切断を施す縦方向熱溶着切断手段と、
その縦方向熱溶着切断手段により分離形成されて前記遊技機を収容する前記外包装用シートからなる袋の開口部を熱溶着する袋口熱溶着手段と、
を備えたことを特徴とする手段５乃至１２のいずれかに記載の遊技機の包装システム。
手段１３によれば、外包装装置において、シート展開供給手段が、遊技機の下方に二つ折りの外包装用シートを展開状に通過させつつ両側縁を上方として繰り出し、縦方向熱溶着切断手段が、シート展開供給手段によって繰り出された包装用シートの遊技機前方側及び後方側にて縦方向に熱溶着及び切断を施し、袋口熱溶着手段が、縦方向熱溶着切断手段により分離形成されて遊技機を収容する外包装用シートからなる袋の開口部を熱溶着する。よって、袋を形成する外包装用シートの供給から、内包装用シートが外周に包装された遊技機の全体を外包装用シートにより密封状に包装するまでの一連の工程を自動化することができる。
【手続補正１９】
【補正対象書類名】明細書
【補正対象項目名】００２４
【補正方法】変更
【補正の内容】
【００２４】
１４．前記内包装装置によって前記内包装用シートが包装された遊技機を装置下流側へ搬送する搬送装置を備え、
前記印刷装置は、前記搬送装置によって搬送される前記包装済みの遊技機に対して印刷を行うように構成されたことを特徴とする手段１乃至１３のいずれかに記載の遊技機の包装システム。
手段１４によれば、搬送装置が、内包装装置によって内包装用シートが包装された遊技機を装置下流側へ搬送し、印刷装置が、搬送装置によって搬送される包装済みの遊技機に対して印刷を行うので、遊技機の搬送と遊技機に関する情報の印刷とを効率的に実施することができる。
【手続補正２０】
【補正対象書類名】明細書
【補正対象項目名】００２５
【補正方法】変更
【補正の内容】
【００２５】
１５．前記印刷装置は、前記搬送装置による前記包装済みの遊技機の搬送経路の側方に印字ヘッドを配置し、前記搬送装置による搬送動作に同期して印刷パターンの出力を行うことを特徴とする手段１４に記載の遊技機の包装システム。
手段１５によれば、搬送装置による包装済みの遊技機の搬送経路の側方に配置された印字ヘッドが、搬送装置による搬送動作に同期して印刷パターンの出力を行うので、搬送を停止することなく遊技機に関する情報の印刷を行うことができる。
【手続補正２１】
【補正対象書類名】明細書
【補正対象項目名】００２６
【補正方法】変更
【補正の内容】
【００２６】
１６．前記印刷装置は、前記内包装用シートにおいて前記熱処理手段によって熱処理が施された箇所に印刷を行うことを特徴とする手段１乃至１５のいずれかに記載の遊技機の包装システム。
手段１６によれば、内包装用シートにおいて熱処理手段によって熱処理が施されることにより熱収縮し、弛みの無くなった平坦な箇所に印刷を行うので、より鮮明に印刷を施すことができる。
【手続補正２２】
【補正対象書類名】明細書
【補正対象項目名】００２７
【補正方法】変更
【補正の内容】
【００２７】
１７．前記印刷装置は、印字ヘッドよりインクを吐出させるインクジェット方式により印刷を行うように構成されたことを特徴とする手段１乃至１６のいずれかに記載の遊技機の包装システム。
手段１７によれば、印刷装置は、インクジェット方式により印刷を行うので、遊技機に包装された内包装用シートより印字ヘッドを離隔配置させて印刷を行うことができる。
【手続補正２３】
【補正対象書類名】明細書
【補正対象項目名】００２８
【補正方法】変更
【補正の内容】
【００２８】
１８．前記印刷装置は、前記内包装用シートにおいて前記遊技機の制御を行う部分を覆う箇所以外に印刷を行うように配置されたことを特徴とする手段１乃至１７のいずれかに記載の遊技機の包装システム。
手段１８によれば、印刷装置は、内包装用シートにおいて遊技機の制御を行う部分を覆う箇所以外に印刷を行うように配置されているので、万が一、内包装用シートに破れやずれが生じた場合でも、遊技機の制御を行う部分に印刷用のインク等が付着して不良発生の原因となることを防止することができる。
【手続補正２４】
【補正対象書類名】明細書
【補正対象項目名】００２９
【補正方法】変更
【補正の内容】
【００２９】
１９．前記遊技機に関する情報は、遊技機を識別可能な識別情報、遊技機名、納品総数、納品先に関する情報、前記遊技機を運送する運送会社に関する情報のいずれか又はこれらの組合わせを含むことを特徴とする手段１乃至１８のいずれかに記載の遊技機の包装システム。
手段１９によれば、印刷装置により、遊技機を識別可能な識別情報、遊技機名、納品総数、納品先に関する情報、前記遊技機を運送する運送会社に関する情報のいずれか又はこれらの組合わせが内包装用シートに印刷される。
【手続補正２５】
【補正対象書類名】明細書
【補正対象項目名】００３０
【補正方法】変更
【補正の内容】
【００３０】
２０．前記シート被着手段は、少なくとも前記遊技機の主制御を行う主制御装置の一部又は全体を覆うように前記内包装用シートを被着することを特徴とする手段１乃至１９のいずれかに記載の遊技機の包装システム。
手段２０によれば、少なくとも遊技機の主制御を行う主制御装置の一部又は全体を覆うように内包装用シートが被着され、且つ熱処理によって内包装用シートが収縮して遊技機の外周に略密着した状態とされるので、主制御装置への不正改造の発見を容易にすると共に不正改造の未然防止を図ることができる。
【手続補正２６】
【補正対象書類名】明細書
【補正対象項目名】００３１
【補正方法】変更
【補正の内容】
【００３１】
２１．前記シート被着手段は、少なくとも前記遊技機に設けられたＬＥＤ基板、音声ランプ制御基板、液晶パネル制御基板、図柄制御基板、図柄情報基板のいずれか一つ以上を含んでなる役物制御装置の一部又は全体を覆うように前記内包装用シートを被着することを特徴とする手段１乃至２０に記載の遊技機の包装システム。
手段２１によれば、少なくとも遊技機に設けられたＬＥＤ基板、音声ランプ制御基板、液晶パネル制御基板、図柄制御基板、図柄情報基板のいずれか一つ以上を含んでなる役物制御装置の一部又は全体を覆うように内包装用シートが被着され、且つ熱処理によって内包装用シートが収縮して遊技機の外周に略密着した状態とされるので、役物制御装置への不正改造の発見を容易にすると共に不正改造の未然防止を図ることができる。
【手続補正２７】
【補正対象書類名】明細書
【補正対象項目名】００３２
【補正方法】変更
【補正の内容】
【００３２】
２２．前記シート被着手段は、少なくとも賞球の払出し制御を行う払出し制御装置の一部又は全体を覆うように前記内包装用シートを被着することを特徴とする手段１乃至２１のいずれかに記載の遊技機の包装システム。
手段２２によれば、少なくとも賞球の払出し制御を行う払出し制御装置の一部又は全体を覆うように内包装用シートが被着され、且つ熱処理によって内包装用シートが収縮して遊技機の外周に略密着した状態とされるので、払出し制御装置への不正改造の発見を容易にすると共に不正改造の未然防止を図ることができる。
【手続補正２８】
【補正対象書類名】明細書
【補正対象項目名】００３３
【補正方法】変更
【補正の内容】
【００３３】
２３．前記熱処理手段は、前記遊技機に被着された前記内包装用シートの特定箇所へ局所的に熱処理を施すように構成されたことを特徴とする手段１乃至２２のいずれかに記載の遊技機の包装システム。
手段２３によれば、内包装用シートの特定箇所へ局所的に熱処理を施して熱収縮させるので、効率的に内包装用シートを遊技機の外周に略密着させることができると共に、不必要な箇所へ熱処理を施さないことによりエネルギーの無駄な消費を抑えることができる。
【手続補正２９】
【補正対象書類名】明細書
【補正対象項目名】００３４
【補正方法】変更
【補正の内容】
【００３４】
２４．前記熱処理手段は、前記遊技機に被着された前記内包装用シートにおいて、前記遊技機の制御を行う部分の電子部品搭載箇所を覆う部分を避けて熱処理を施すように構成されたことを特徴とする手段１乃至２３のいずれかに記載の遊技機の包装システム。
手段２４によれば、内包装用シートにおいて制御を行う部分の電子部品搭載箇所を覆う部分避けて熱処理を施すので、熱処理によって電子部品を損傷することが防止される。ここで、電子部品とは、内包装用シートに熱処理が施された場合に耐熱温度を超える可能性がある部品であり、例えば、遊技機の各部を制御するためのＣＰＵや制御プログラムが記憶されたＲＯＭ等を指している。
【手続補正３０】
【補正対象書類名】明細書
【補正対象項目名】００３５
【補正方法】変更
【補正の内容】
【００３５】
２５．前記熱処理手段は、前記遊技機に被着された前記内包装用シートにおいて、少なくとも前記遊技機外周における一又は複数の段差部分近傍を覆う箇所に熱処理を施すように構成されたことを特徴とする手段１乃至２４のいずれかに記載の遊技機の包装システム。
手段２５によれば、内包装用シートにおいて遊技機外周との間に隙間が生じやすい段差部分近傍を覆う箇所に熱処理が施されるので、当該箇所において確実に熱収縮させて遊技機の外周へ略密着させることができる。
【手続補正３１】
【補正対象書類名】明細書
【補正対象項目名】００３６
【補正方法】変更
【補正の内容】
【００３６】
２６．前記遊技機の背面には一又は複数の基板ボックスが配設され、
前記熱処理手段は、前記遊技機に被着された前記内包装用シートにおいて、少なくとも前記遊技機の前記一又は複数の基板ボックスのいずれかの端部近傍を覆う箇所に熱処理を施すように構成されたことを特徴とする手段１乃至２５のいずれかに記載の遊技機の包装システム。
手段２６によれば、内包装用シートにおいて遊技機外周との間に隙間が生じやすい基板ボックスの端部近傍を覆う箇所に熱処理を施すので、遊技機背面における当該箇所において確実に熱収縮させて遊技機の外周へ略密着させることができる。
【手続補正３２】
【補正対象書類名】明細書
【補正対象項目名】００３７
【補正方法】変更
【補正の内容】
【００３７】
２７．前記熱処理手段は、前記遊技機に被着された前記内包装用シートにおいて、少なくとも最上位置の基板ボックスの上端部近傍を覆う箇所に熱処理を施すように構成されたことを特徴とする手段２６に記載の遊技機の包装システム。
手段２７によれば、内包装用シートにおいて最上位置の基板ボックスの上端部近傍を覆う箇所に熱処理を施すことにより、遊技機背面における内包装用シートの上部を確実に収縮させて遊技機外周へ略密着させることができる。
【手続補正３３】
【補正対象書類名】明細書
【補正対象項目名】００３８
【補正方法】変更
【補正の内容】
【００３８】
２８．前記熱処理手段は、前記遊技機に被着された前記内包装用シートにおいて、少なくとも最下位置の基板ボックスの下端部近傍を覆う箇所に熱処理を施すように構成されたことを特徴とする手段２６又は２７に記載の遊技機の包装システム。  
手段２８によれば、内包装用シートにおいて最下位置の基板ボックスの下端部近傍を覆う箇所に熱処理を施すので、遊技機背面における内包装用シートの下部を確実に収縮させて遊技機外周へ略密着させることができる。
【手続補正３４】
【補正対象書類名】明細書
【補正対象項目名】００３９
【補正方法】変更
【補正の内容】
【００３９】
２９．前記遊技機の背面には複数の基板ボックスが隣接して配設され、
前記熱処理手段は、前記遊技機に被着された前記内包装用シートにおいて、少なくとも前記遊技機の一の基板ボックスと隣接する他の基板ボックスとの間を覆う箇所に熱処理を施すように構成されたことを特徴とする手段２６乃至２８のいずれかに記載の遊技機の包装システム。
手段２９によれば、内包装用シートにおいて遊技機外周との間に隙間が生じやすい一の基板ボックスと隣接する他の基板ボックスとの間を覆う箇所に熱処理が施されるので、遊技機背面の当該箇所において確実に収縮させて遊技機の外周へ略密着させることができる。
【手続補正３５】
【補正対象書類名】明細書
【補正対象項目名】００４０
【補正方法】変更
【補正の内容】
【００４０】
３０．前記熱処理手段は、前記遊技機に被着された前記内包装用シートにおいて、少なくとも前記遊技機の前面に配設された上皿近傍を覆う箇所に熱処理を施すように構成されたことを特徴とする手段１乃至２９のいずれかに記載の遊技機の包装システム。
手段３０によれば、内包装用シートにおいて遊技機外周との間に隙間が生じやすい上皿近傍を覆う箇所に熱処理が施されるので、遊技機前面の当該箇所において確実に収縮させて遊技機の外周へ略密着させることができる。
【手続補正３６】
【補正対象書類名】明細書
【補正対象項目名】００４１
【補正方法】変更
【補正の内容】
【００４１】
３１．前記熱処理手段は、前記遊技機に被着された前記内包装用シートにおいて、少なくとも前記遊技機の前面に配設された下皿近傍に熱処理を施すように構成されたことを特徴とする手段１乃至３０のいずれかに記載の遊技機の包装システム。
手段３１によれば、内包装用シートにおいて遊技機外周との間に隙間が生じやすい下皿近傍を覆う箇所に熱処理が施されるので、遊技機前面の当該箇所において確実に収縮させて遊技機の外周へ略密着させることができる。
【手続補正３７】
【補正対象書類名】明細書
【補正対象項目名】００４２
【補正方法】変更
【補正の内容】
【００４２】
３２．前記熱処理手段は、前記遊技機に被着された前記内包装用シートにおいて、少なくとも前記遊技機の前面に配設された上皿と下皿との間を覆う箇所に熱処理を施すように構成されたことを特徴とする手段１乃至３１のいずれかに記載の遊技機の包装システム。
手段３２によれば、内包装用シートにおいて遊技機外周との間に隙間が生じやすい上皿と下皿との間を覆う箇所に熱処理が施されるので、遊技機前面の当該箇所において確実に収縮させて遊技機の外周へ略密着させることができる。
【手続補正３８】
【補正対象書類名】明細書
【補正対象項目名】００４３
【補正方法】変更
【補正の内容】
【００４３】
３３．前記熱処理手段は、前記遊技機に被着された前記内包装用シートにおいて、少なくとも前記遊技機の高耐熱性部材を覆う箇所に熱処理を施すように構成されたことを特徴とする手段１乃至３２のいずれかに記載の遊技機の包装システム。
手段３３によれば、内包装用シートにおいて遊技機の高耐熱性部材を覆う箇所に熱処理が施されるので、遊技機が熱処理によって損傷することを防止することができる。
【手続補正３９】
【補正対象書類名】明細書
【補正対象項目名】００４４
【補正方法】変更
【補正の内容】
【００４４】
３４．前記熱処理手段は、前記遊技機に被着された前記内包装用シートにおいて、少なくとも前記遊技機の金属製部材を覆う箇所に熱処理を施すように構成されたことを特徴とする手段３３に記載の遊技機の包装システム。
手段３４によれば、内包装用シートにおいて遊技機各部に設けられた金属製部材を覆う箇所に熱処理が施されるので、遊技機が熱処理によって損傷することを防止することができる。
【手続補正４０】
【補正対象書類名】明細書
【補正対象項目名】００４５
【補正方法】変更
【補正の内容】
【００４５】
３５．前記熱処理手段は、前記遊技機に被着された前記内包装用シートにおいて、少なくとも前記遊技機の熱硬化性樹脂製部材を覆う箇所に熱処理を施すように構成されたことを特徴とする手段３３に記載の遊技機の包装システム。
手段３５によれば、内包装用シートにおいて遊技機に設けられた熱硬化性樹脂製部材（例えば、遊技機前面に設けられた灰皿等）を覆う箇所に熱処理が施されるので、遊技機が熱処理によって損傷することを防止することができる。
【手続補正４１】
【補正対象書類名】明細書
【補正対象項目名】００４６
【補正方法】変更
【補正の内容】
【００４６】
３６．前記熱処理手段は、前記遊技機に被着された前記内包装用シートにおいて、少なくとも前記内包装用シートと前記遊技機との間に所定の距離が確保される箇所に熱処理を施すことを特徴とする手段１乃至３５のいずれかに記載の遊技機の包装システム。
手段３６によれば、内包装用シートにおいて内包装用シートと遊技機との間に所定の距離が確保される箇所に熱処理が施されるので、遊技機に対する熱伝導が少なく、熱処理による遊技機の損傷を防止することができる。さらに、当該箇所の包装用シートを熱処理によって収縮させることにより、遊技機の外周へ密着させることができる。尚、包装用シートと遊技機との間に所定の距離が確保される箇所とは、例えば、遊技機前面の上皿、下皿の端部近傍及び上皿と下皿との間、遊技機背面の基板ボックスの端部近傍、隣接する基板ボックスの間等である。
【手続補正４２】
【補正対象書類名】明細書
【補正対象項目名】００４７
【補正方法】変更
【補正の内容】
【００４７】
３７．前記内包装用シートが被着された前記遊技機を装置下流方向へ搬送しつつ前記熱処理手段による熱処理を行うように構成されたことを特徴とする手段１乃至３６のいずれかに記載の遊技機の包装システム。
手段３７によれば、内包装用シートが被着された遊技機を装置下流方向へ搬送しつつ熱処理手段による熱処理を行うので、熱処理手段を固定配置した状態で包装用シートの広い領域に熱処理を施すことができる。
【手続補正４３】
【補正対象書類名】明細書
【補正対象項目名】００４８
【補正方法】変更
【補正の内容】
【００４８】
３８．前記熱処理手段は、２００℃〜４００℃の温度で熱処理を施すことを特徴とする手段１乃至３７のいずれかに記載の遊技機の包装システム。
手段３９によれば、熱処理手段が２００℃〜４００℃の温度で熱処理を施すので、熱可塑性材料からなる内包装用シートを確実に収縮させることができると共に、熱によって遊技機を損傷させることがない。
【手続補正４４】
【補正対象書類名】明細書
【補正対象項目名】００４９
【補正方法】変更
【補正の内容】
【００４９】
３９．前記熱処理手段は、熱風を発生させる熱風発生手段からなることを特徴とする手段１乃至３８のいずれかに記載の遊技機の包装システム。
手段３９によれば、シート被着手段によって、遊技機の制御を行う部分の少なくとも一部を覆うように、熱可塑性材料からなる内包装用シートが遊技機の外周に被着されると、熱風発生手段によって発生した熱風が、遊技機に被着された内包装用シートの少なくとも一部に向かって吹きつけられることにより確実に熱処理が施され、当該被熱処理部分が確実に熱収縮して遊技機の外周形状に沿って略密着する。また、熱風の吹きつけにより熱処理を施す構成としたので、熱風発生手段（例えば、熱風を噴出させるノズル）を遊技機に被着された内包装用シートの表面から離隔させた位置に配置することができる。
【手続補正４５】
【補正対象書類名】明細書
【補正対象項目名】００５０
【補正方法】変更
【補正の内容】
【００５０】
４０．前記熱風発生手段は、熱風を継続的に発生させることを特徴とする手段３９に記載の遊技機の包装システム。
手段４０によれば、熱風発生手段が熱風を継続的に発生させるので、内包装用シートに対する熱処理温度が変動することが防止され、多数の遊技機に均一な包装を施すことができる。
【手続補正４６】
【補正対象書類名】明細書
【補正対象項目名】００５１
【補正方法】変更
【補正の内容】
【００５１】
４１．前記シート被着手段は、
前記遊技機を搬送する搬送手段と、
前記遊技機の制御を行う部分の少なくとも一部を覆うように、前記内包装用シートを供給するシート供給手段と、
前記内包装用シートに熱溶着及び切断を施す熱溶着切断手段と、
を備え、
前記熱処理手段は、前記遊技機の外周に巻きつけられた前記内包装用シートの少なくとも一部に熱処理を施すことを特徴とする手段１乃至４０のいずれかに記載の遊技機の包装システム。
【手続補正４７】
【補正対象書類名】明細書
【補正対象項目名】００５２
【補正方法】変更
【補正の内容】
【００５２】
手段４１によれば、搬送手段は、遊技機を搬送し、シート供給手段は、遊技機の制御を行う部分の少なくとも一部を覆うように、熱可塑性材料からなる包装用シートを供給する。これにより、包装用シートは、遊技機が搬送手段によって搬送されるのに伴って、遊技機の外周に緩く巻きつけられる。次いで、熱溶着切断手段は、包装用シートに熱溶着及び切断を施すことにより、当該遊技機を包装するための包装用シート全体が筒状に形成されると共に、他の遊技機を包装するための包装用シートから分離される。次いで、熱処理手段が、遊技機の外周に巻きつけられた包装用シートの少なくとも一部に熱処理を施すことにより、当該被熱処理部分が熱収縮して遊技機の外周形状に沿って略密着する。熱処理手段による熱処理の終了後、熱可塑性材料からなる内包装用シートの被熱処理部分が常温で冷却されて硬化するので、内包装用シートが遊技機の外周へ略密着する状態が保たれる。
【手続補正４８】
【補正対象書類名】明細書
【補正対象項目名】００５３
【補正方法】変更
【補正の内容】
【００５３】
４２．前記搬送手段によって前記遊技機が搬送されつつ前記シート供給手段によって前記内包装用シートが供給されることにより前記遊技機の外周へ巻きつけられる前記内包装用シート上部の少なくとも一部に予備熱処理を施す予備熱処理手段を、
更に備え、
前記熱処理手段は、前記内包装用シートに前記予備熱処理が施された後、前記遊技機の外周に巻きつけられた前記内包装用シートの少なくとも一部に熱処理を施すことを特徴とする手段４１に記載の遊技機の包装システム。
【手続補正４９】
【補正対象書類名】明細書
【補正対象項目名】００５４
【補正方法】変更
【補正の内容】
【００５４】
手段４２によれば、予備熱処理手段が、搬送手段によって前記遊技機が搬送されつつシート供給手段によって内装用シートが供給されることにより遊技機の外周へ巻きつけられる内包装用シート上部の少なくとも一部に予備熱処理を施す。よって、内包装用シートの上部を熱収縮させることによってずり落ちを防止しつつ、内包装用シートを遊技機外周へ緩く巻きつけることができる。次いで、内包装用シートに前記予備熱処理が施された後、遊技機の外周に巻きつけられた内包装用シートの少なくとも一部に熱処理を施すことにより、当該被熱処理部分が熱収縮して遊技機の外周形状に沿って略密着する。
【手続補正５０】
【補正対象書類名】明細書
【補正対象項目名】００５５
【補正方法】変更
【補正の内容】
【００５５】
４３．前記予備熱処理手段による予備熱処理の温度は、前記熱処理手段による熱処理の温度よりも低く設定されたことを特徴とする手段４２に記載の遊技機の包装システム。
手段４３によれば、予備熱処理手段による予備熱処理の温度が熱処理手段による熱処理の温度よりも低く設定されているので、遊技機に緩く巻きつけられた内包装用シートがずり落ちない程度に熱収縮させることができる。一方、熱処理手段による熱処理温度が相対的に高く設定されることにより、内包装用シートを十分に熱収縮させて遊技機に強固に密着させることができる。
【手続補正５１】
【補正対象書類名】明細書
【補正対象項目名】００５６
【補正方法】変更
【補正の内容】
【００５６】
４４．前記熱可塑性材料は、熱可塑性樹脂であることを特徴とする手段１乃至４３のいずれかに記載の遊技機の包装システム。
手段４４によれば、内包装用シートが熱可塑性樹脂からなるので、遊技機を確実に保護することができると共に、熱処理によって容易に収縮させ、且つ常温で冷却して硬化させることができる。
【手続補正５２】
【補正対象書類名】明細書
【補正対象項目名】００５７
【補正方法】変更
【補正の内容】
【００５７】
４５．前記熱可塑性樹脂は、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロンのいずれかであることを特徴とする手段４４に記載の遊技機の包装システム。
手段４５によれば、ポリエチレン、ポリプロピレン、ポリスチレン、ＡＢＳ樹脂、塩化ビニル樹脂、メタクリル酸メチル樹脂、フッ素樹脂、ポリエステル、ポリカーボネート、ナイロンのいずれかの熱可塑性樹脂からなる安価な包装用シートを用いて、遊技機を確実に保護することができると共に、熱処理によって容易に収縮させ、且つ常温で冷却して硬化させることができる。